(57)【要約】      （修正有）【課題】救命胴衣あるいは腕に装着し得る着脱可能な構造を持ち、電池や発電機構などの電力によって発光する発光装置や場所情報を発信する発信機を具備してなる小型軽量の水難救命装置及び水難救命装置用救命情報発信装置を提供する。【解決手段】電池や発電機構などの電力源と、電力制御回路と、発光する発光装置及び場所情報を発信する発信装置の群から選択された少なくとも一つの装置、とを具備し、これら動力源、電力回路、装置を配置するケースは、救命胴衣に取り付けられたタグ及び手首及び腕から選択された群に、着脱可能なバンドとともに装着する腕時計形状のケースであることを特徴とする水難救命装置及び水難救命装置用救命情報発信装置【選択図】なし【特許請求の範囲】
【請求項１】
電池や発電機構などの電力源と、電力制御回路と、発光する発光装置及び場所情報を発信する発信装置の群から選択された少なくとも一つの装置、とを具備し、これら動力源、電力回路、装置を配置するケースは、救命胴衣に取り付けられたタグ及び手首及び腕から選択された群に、着脱可能なバンドとともに装着する腕時計形状のケースであることを特徴とする水難救命装置及び水難救命装置用救命情報発信装置。
【請求項２】
前記電池や発電機構などの電力源あるいは電力制御回路のオン・オフを行うスイッチに、該スイッチに接続する、紐あるいは接続子から選択された群と、連結するハンドルと、を具備したことを特徴とする請求項１に記載の水難救命装置及び水難救命装置用救命情報発信装置。
【請求項３】
前記スイッチは、+側と−側が同時にオン状態、あるいはオフ状態になることを特徴とする請求項１に記載の水難救命装置及び水難救命装置用救命情報発信装置。
【請求項４】
前記ケースは、外界の光の強さを感知するセンサーを具備し、前記電力制御回路をコントロールすることを特徴とする請求項１に記載の水難救命装置及び水難救命装置用救命情報発信装置。
【発明の詳細な説明】
【技術分野】
【０００１】
本発明は、水難救命具に、電力によって発光する発光装置や発信機が装備される水難救命装置及び水難救命装置用救命情報発信装置に関する。
【背景技術】
【０００２】
近年、水難事故での救命率の向上が求められている。救命効果が上がる救命胴衣は着用の義務づけが進み、着用しない場合の罰則の強化も図られている。
しかしながら、そうした国側の努力にもかかわらず、救命胴衣を着用せずに水難に遭う人が後を絶たない。その理由としては、着用して動作することの不便と不快感があげられる。そうしたことを緩和するために圧縮空気で膨張するものなどが考案されているが、根本的な解決にはならず、着用のモチベーションを上げるには至っていない。こうした状況から、救命胴衣とともに使用される水難救命装置及び水難救命装置用救命情報発信装置は、着用感を損なわないような工夫が求められる状況になっている。
さらに、今日の救命胴衣は、救助時の視認性を高める工夫として、白色もしくはオレンジ色にする等の対策がなされている。しかしながら、夜間の遭難で漂流した場合の対策としては、懐中電灯などを付属させるという程度のものしか見当たらない。
特許文献１  特開平１１  ２１１４００号公報には、海上や山岳地帯等での遭難時に救援を求める際に用いる信号弾（光）とその信号弾発射装置が開示されている。
また、特許文献２  特開２００２  ２４９５０号公報には、危急の時に、被災した使用者が自分の位置を示すため、バルーンを浮上させ、救助を要求するための装置、およびこの装置を備える救命胴衣が開示されている。
これらの装置は大掛かりで常時携帯には不向きである。実際の使用では、これら装置を救命胴衣に装着した場合、着用者の作業性を損ない、動作を限定してしまうことは想像に難くない。
特許文献３  特開２００１  １２６１５１号公報には  携帯に適した救難報知具が開示されている。しかしながら、海上に落下し漂流した場合に、即座に利用しうる効果的な携帯方法は明示されていない。
常時、救命胴衣を着用した着用者の作業性や動作をそこなわず、同時に海難事故に遭った時に効果的に使用しうる水難救命装置及び水難救命装置用救命情報発信装置はまだ表れていない。
【先行技術文献】
【特許文献】
【０００３】
【特許文献１】特開平１１  ２１１４００号公報
【特許文献２】特開２００２  ２４９５０号公報
【特許文献３】特開２００１  １２６１５１号公報
【発明の概要】
【発明が解決しようとする課題】
【０００４】
本発明者は、従来の水難救命装置及び水難救命装置用救命情報発信装置が、非常時ではなく通常時における使用者の作業性や動作を限定してしまう点に着目した。また、使用者が不慮に海上へ落下した際に即座に機能を開始する工夫も十分でないことに着目した。
【０００５】
そこで、本発明者は、使用者が水難救命装置用救命情報発信装置の常時装着において作業性や動作を限定しない装着方法と海難事故発生時に、使用者が即座に救命情報発信をできるような水難救命装置及び水難救命装置用救命情報発信装置を鋭意検討した。
その結果、発光や発信によって救命情報を出す装置本体を救命胴衣に着脱可能に装着し、必要であれば外して、腕時計のように腕に装着できるようにし、装置本体にあるハンドルを引っ張ることで情報発信開始がなされるようにすれば、前記課題を克服し得ることを見出した。
【０００６】
すなわち、本発明は、上記事情に鑑みてなされたもので、救命胴衣あるいは腕に装着し得る着脱可能な構造を持ち、電池や発電機構などの電力によって発光する発光装置や場所情報を発信する発信機を具備してなる小型軽量の水難救命装置及び水難救命装置用救命情報発信装置を提供することである。
【課題を解決するための手段】
【０００７】
本発明は、上記課題を解決するためになされたもので、以下の構成を具備している。
発明１は、電池や発電機構などの電力源と、電力制御回路と、発光する発光装置及び場所情報を発信する発信装置の群から選択された少なくとも一つの装置、とを具備し、これら動力源、電力回路、装置を配置するケースは、救命胴衣に取り付けられたタグ及び手首及び腕から選択された群に、着脱可能なバンドとともに装着する腕時計形状のケースであることを特徴とする水難救命装置及び水難救命装置用救命情報発信装置である。
である。
【０００８】
発明２は、前記電池や発電機構などの電力源あるいは電力制御回路のオン・オフを行うスイッチに、該スイッチに接続する、紐あるいは接続子から選択された群と、連結するハンドルと、を具備したことを特徴とする請求項１に記載の水難救命装置及び水難救命装置用救命情報発信装置である。
【０００９】
発明３は、前記スイッチは、+側と−側が同時にオン状態、あるいはオフ状態になることを特徴とする発明１に記載の水難救命装置及び水難救命装置用救命情報発信装置である。
【００１０】
発明４は、前記ケースは、外界の光の強さを感知するセンサーを具備し、前記電力制御回路をコントロールすることを特徴とする発明１に記載の水難救命装置及び水難救命装置用救命情報発信装置である。
【発明の効果】
【００１１】
本発明によれば、夜間に海上に落下した遭難者は、簡単至便な操作で光や信号などの救命発信情報を速やかに救助者に提供することができる。そのことによって、特に初期段階での遭難者の夜間での視認が容易になり、救助率が高まる。また、その形状によって、使用者に遭難時以外の通常時でも装着に違和感を持たせないため、装置の装着率が高まり、最終的な救命率の向上につながることは想像に難くない。
【発明を実施するための形態】
【００１２】
いくつかの実施形態につき説明する。
（第１実施形態）
着脱可能なバンドによって腕時計形状のケースが、使用者の手首あるいは腕に装着されている。バンドを着脱させる方法は公知の技術をすべて使い得るとともに、バンドの形状や材質も公知の技術をすべて使い得る。ケースの表面上（腕時計の時刻表示部に相当）には、ＬＥＤや赤外線発光素子等の公知の発光素子が並び、その脇に外部の光の強度を感知するセンサーが配置されている。これら発光素子やセンサーに、電力を送る電池などの電力部や電力制御回路は、その発光素子やセンサーの下部に配置されている。これらすべての部品が格納されたケースは海水が入らないよう公知技術の防水対策がなされるのが望ましい。電力回路や電力制御回路をオン・オフさせるスイッチは、連結子や紐によって外部のハンドルと接続されており、外部のハンドルが引かれることで作動する。このとき、ばねやラチェット機構などによって、紐や連結子の引っ張り方でオン・オフがなされてもよいし、動作の確実性を高めるためにオフからオンへの一方方向のスイッチとしてもよい。
このとき切り替わるスイッチは電力のプラス側及びマイナス側を同時にオフオンする両切りタイプを用いて電池等の自然放電を可能な限り抑える工夫をするのが望ましい。また、必要であれば、公知の技術を用いて、電池の残量をチェックする機構を加えてもよい。
使用者は、通常時には腕時計をはめているかのように違和感なく通常の作業を行っているが、不慮の事故で海面に落下した際、装着している方の反対側の手で装置のハンドルを引くことで、簡単至便に光あるいは発信信号を船上にいる救助者に送ることができる。救助者は、助けを求め手を振る遭難者を容易に発見できる。
不幸にして発見が遅れ、時間が経過して光が意味を為さない昼間になったら、センサーが働いて、電力の供給を停止し電力の消耗を防ぐ。
【００１３】
（第２実施形態）
着脱可能なバンドによって、ケースを、タグをつけた救命胴衣に装着する。タグの位置は漂流するときに遭難者の体は顔を情報に向けるので、肩口あるいは胸上部に取り付けるのが望ましい。なお、救命胴衣への装着方法は、タグやピン、マジックテープ（登録商標）など公知の技術はすべて使い得る。
それ以外は第１実施形態と同様である。
【産業上の利用可能性】
【００１４】
本発明を利用すれば、特に夜間の海難事故などによる救命率を上げることが可能になる。